(57)【要約】【課題】  外部ノイズに強い人体検知装置を実現する。【解決手段】  人体検知装置１は、離間されている一方の電極１０と他方の電極４０と、一方の電極１０と他方の電極４０に互いに逆位相の矩形波をそれぞれ印加する発振器２０、４０と、各電極に印加される電圧波形の変化に基づいて、人体が一方の電極１０と他方の電極４０に近接したことを検出するマイクロコンピュータ７０とを備えている。【選択図】  図１
2013174585.tif 000002
【特許請求の範囲】
【請求項１】
離間されている一方の電極と他方の電極と、
前記一方の電極と前記他方の電極に、周期的に変動する電圧波形をそれぞれ印加する発振器と、
前記電圧波形の変化に基づいて、人体が前記一方の電極と前記他方の電極に近接したことを検出するマイクロコンピュータと、を備えており、
前記一方の電極と前記他方の電極に印加される前記電圧波形は、互いに位相もしくは周期が異なることを特徴とする人体検知装置。
【請求項２】
前記発振器と前記一方の電極との間には第一抵抗が設けられており、
前記発振器と前記他方の電極との間には第二抵抗が設けられており、
前記マイクロコンピュータは、前記一方の電極と前記第一抵抗の間と、前記他方の電極と前記第二抵抗の間との前記電圧波形の変化を検出することを特徴とする請求項１に記載の人体検知装置。
【請求項３】
前記一方の電極と前記他方の電極との距離は、３０ｍｍ以上２ｍ以下であることを特徴とする請求項１に記載の人体検知装置。
【請求項４】
請求項１ないし３のいずれか１項に記載の人体検知装置と、判定手段を備え、室内にキーを残したままドアロックされた状態からドアロックを解除するためのキー閉じ込め解除装置であって、
前記室内のガラス内側には、前記一方の電極と前記他方の電極が室外から見える位置に貼り付けられており、
前記人体検知装置は、前記室外から人体が前記一方の電極と前記他方の電極に近接と離間を繰り返されることにより、キー閉じ込め状態でのドアロックの解除要求操作の信号を検出し、
前記判定手段は、前記解除要求操作の信号と、正規のユーザにより予め設定登録されている正規のキー信号とを比較し、
前記判定手段の比較結果が同一であるとドアロックの解錠を行い、前記判定手段の比較結果が同一でないとドアロックの解錠を行わないことを特徴とするキー閉じ込め解除装置。
【発明の詳細な説明】
【技術分野】
【０００１】
本発明は、人体の近接を検知する人体検知装置とこの人体検知装置を備えたキー閉じ込め解除装置に関する。
【背景技術】
【０００２】
人体の接近を検知するセンサとして、例えば、特許文献１には、図８に示すように、センサ電極付近で発生する静電容量変化が人体によるものか否かを判別して、人体が近接したことを検知するものが記載されている。この人体検知装置１００は、一つのセンサ電極１０１に低周波と高周波の交番電圧を順次切り替えて印加し、センサ電極１０１の静電容量の変化を各周波数においてそれぞれ電圧変化量として検知して人体あるいは雨滴かを検出している。
【先行技術文献】
【特許文献】
【０００３】
【特許文献１】特開２００６−２１１４２７号公報
【発明の概要】
【発明が解決しようとする課題】
【０００４】
しかしながら、上述の人体検知装置は、センサ電極が接地面から浮いた状態であるため、センサ電極で検出される信号の変化量が小さく、また、雨などの外部ノイズに対し弱いという課題がある。
【０００５】
そこで本発明は、従来技術が抱える上記課題を解決し得る人体検知装置およびこの人体検知装置を備えたキー閉じ込め解除装置を提供しようとするものである。
【課題を解決するための手段】
【０００６】
上記の課題を解決するため、本発明の人体検知装置は、
離間されている一方の電極と他方の電極と、
前記一方の電極と前記他方の電極に、周期的に変動する電圧波形をそれそれ印加する発振器と、
前記電圧波形の変化に基づいて、人体が前記一方の電極と前記他方の電極に近接したことを検出するマイクロコンピュータと、を備えており、
前記一方の電極と前記他方の電極に印加される前記電圧波形は、互いに位相もしくは周期が異なることを特徴とする。
【０００７】
本発明の請求項２の人体検知装置は、請求項１に記載の人体検知装置において、
前記発振器と前記一方の電極との間には第一抵抗が設けられており、
前記発振器と前記他方の電極との間には第二抵抗が設けられており、
前記マイクロコンピュータは、前記一方の電極と前記第一抵抗の間と、前記他方の電極と前記第二抵抗の間との前記電圧波形の変化を検出することを特徴とする。
【０００８】
本発明の請求項３の人体検知装置は、請求項１に記載の人体検知装置において、
前記一方の電極と前記他方の電極との距離は、３０ｍｍ以上２ｍ以下であることを特徴とする。
【０００９】
本発明の請求項４に記載のキー閉じ込め解除装置は、請求項１ないし３のいずれか１項に記載の人体検知装置と、判定手段を備え、室内にキーを残したままドアロックされた状態からドアロックを解除するためのキー閉じ込め解除装置であって、
前記室内のガラス内側には、前記一方の電極と前記他方の電極が室外から見える位置に貼り付けられており、
前記人体検知装置は、前記室外から人体が前記一方の電極と前記他方の電極に近接と離間を繰り返されることにより、キー閉じ込め状態でのドアロックの解除要求操作の信号を検出し、
前記判定手段は、前記解除要求操作の信号と、正規のユーザにより予め設定登録されている正規のキー信号とを比較し、
前記判定手段の比較結果が同一であるとドアロックの解錠を行い、前記判定手段の比較結果が同一でないとドアロックの解錠を行わないことを特徴としているものである。
【発明の効果】
【００１０】
本発明の人体検知装置によれば、人体が一方の電極と他方の電極の双方に近接すると、人体を媒体としたコンデンサの作用により、いわば閉ループ状態が形成される。そして、一方の電極と他方の電極に印加される周期的に変動する電圧波形は位相もしくは周期が互いに異なるため、２つの電極間にはその電位差に応じて人体を介して信号（電界の変化に伴う信号）が伝達し、一方の電極と他方の電極に印加される電圧波形が共に変化する。このため、これらの電圧波形の変化を検出することで人体が一方の電極と他方の電極の双方に近接したことを検知することができる。また、人体を介した閉ループ状態で電圧波形の変化を検出することができるため、外部の影響をほとんど受けず、外部ノイズに強い人体検知装置が得られる。
【図面の簡単な説明】
【００１１】
【図１】本発明の第１の実施形態例に係る人体検知装置のブロック図である。
【図２】本発明の第１の実施形態例に係る波形検出部（ａ）と、コンパレータ（ｂ）である。
【図３】本発明の第１の実施形態例において、人体が２つの電極に近接していない状態における図１の測定点Ｃの波形（ａ）と測定点Ｄの波形（ｂ）であり、人体が２つの電極に近接した状態における図１の測定点Ｃの波形（ｃ）と測定点Ｄの波形（ｄ）である。
【図４】本発明の第１の実施形態例における電圧波形の変形例であり、人体が２つの電極に近接していない状態における図１の測定点Ｃの波形（ａ）と測定点Ｄの波形（ｂ）であり、人体が２つの電極に近接した状態における図１の測定点Ｃの波形（ｃ）と測定点Ｄの波形（ｄ）である。
【図５】本発明の第１の実施形態例における電圧波形の変形例であり、人体が２つの電極に近接していない状態における図１の測定点Ｃの波形（ａ）と測定点Ｄの波形（ｂ）であり、人体が２つの電極に近接した状態の図１の測定点Ｃの波形（ｃ）と測定点Ｄの波形（ｄ）である。
【図６】本発明の第１の実施形態例における電圧波形の変形例であり、人体が２つの電極に近接していない状態における図１の測定点Ｃの波形（ａ）と測定点Ｄの波形（ｂ）であり、人体が２つの電極に近接した状態の図１の測定点Ｃの波形（ｃ）と測定点Ｄの波形（ｄ）である。
【図７】本発明の人体検知装置を備えるキー閉じ込め解除装置を車両に装着した状態を示す図である。
【図８】従来技術を説明する図である。
【発明を実施するための形態】
【００１２】
以下、図面に基づいて本発明の実施の形態を例示的に説明する。
【００１３】
（第１の実施形態例）
本発明の第１実施形態例に係る人体検知装置を図１ないし図３を用いて説明する。
図１において、１０は一方の電極、２０は一方の発振器、３０は第一波形検出部、４０は他方の電極、５０は他方の発振器、６０は第二波形検出部、７０はマイクロコンピュータである。
【００１４】
一方の電極１０と他方の電極４０は、人体の近接を検知するセンサ電極である。本例の電極１０、４０は、図１に示すように、四角形の渦巻状の銅線１０Ａ、４０Ａを、片面に粘着性を有する透明の絶縁フィルム１０Ｂ、４０Ｂに貼り付けて形成されている。この銅線１０Ａ、４０Ａの一端は、一方の発振器２０と他方の発振器５０にそれぞれ接続されており、銅線１０Ａ、４０Ａの他端は開放端になっている。なお、電極１０、４０は、フレキシブル基板上に渦巻き状のコイルパターンを形成したものでもよいし、フレキシブル基板上に導電性のベタパターンからなる四角状の電極でもよいし、アンテナでもよい。
本例の電極１０、４０は、同一平面内に平行に並べられており、離間されて配されている。なお、一方の電極１０と他方の電極４０は、少なくとも後述する所定の距離Ｌだけ離間されていればよく、２つの電極の配置は特に限定されない。この距離Ｌは、電極間の最短距離を示している。
【００１５】
一方の発振器２０と他方の発振器５０は、それぞれ一方の電極１０と他方の電極４０に、互いに位相が異なる周期的に変動する電圧波形（本例では矩形波）を印加するものである。この矩形波は、図３（ａ）に示すように５Ｖｐ−ｐであり、後述のマイクロコンピュータ７０の動作電圧と同じである。
この矩形波の周波数は、本例では２０ＭＨｚであり、１ＭＨｚ以上４０ＭＨｚ以下が好ましい。この周波数は、人体を介した静電容量結合による信号の伝達が容易な帯域である。
【００１６】
一方の発振器２０と一方の電極１０間には、第一バッファー（緩衝増幅器）２１と第一抵抗２２が接続されている。
また、他方の発振器５０と他方の電極４０間には、第二バッファー４１（緩衝増幅器）と第二抵抗４２が接続されている。
この第一抵抗２２と第二抵抗４２は、例えば１０ｋΩであり、一方の電極１０と他方の電極４０に人体が近接したとき、電圧波形の変化を検知する際の分圧抵抗として機能する。
【００１７】
第一波形検出部３０は、第一整流回路３１と、第一コンパレータ３２を備えている。また、第二波形検出部６０は、第二整流回路６１と、第二コンパレータ６２を備えている。
第一整流回路３１と第二整流回路６１は、それぞれダイオード３１Ａ、６１Ａと平滑コンデンサ３１Ｂ、６１Ｂを有する整流回路である（図２参照）。
この第一整流回路３１は、一方の電極１０と第一抵抗２２の間（図１の測定点Ｃ）に現れる電圧波形を直流に変換し、第一最大電圧値を出力する。また、第二整流回路６１は、他方の電極４０と第二抵抗４２の間（図１の測定点Ｄ）に現れる電圧波形を直流に変換し、第二最大電圧値を出力する。
第一コンパレータ３２は、第一最大電圧値と第一基準電圧値Ｖref１を比較した結果を出力するものであり、第二コンパレータ６２は、第二最大電圧値と第二基準電圧値Ｖref２とを比較した結果を出力するものである。第一基準電圧値Ｖref１と第二基準電圧値Ｖref２は、本例ではどちらも０．１Ｖに設定されている。
【００１８】
第一コンパレータ３２は、第一最大電圧値が第一基準電圧値Ｖref１より低いとハイレベル（本例では５Ｖ）を出力し、第一最大電圧値が第一基準電圧値Ｖref１より高いとローレベル（本例では０Ｖ）を出力する。
また、第二コンパレータ６２は、第二最大電圧値が第二基準電圧値Ｖref２より低いとハイレベル（本例では５Ｖ）を出力し、第二最大電圧値が第二基準電圧値Ｖref２より高いとローレベル（本例では０Ｖ）を出力する。
【００１９】
マイクロコンピュータ７０は、人体が一方の電極１０と他方の電極４０に近接したことを検出するものであり、一般的に使われる５Ｖで動作している。このマイクロコンピュータ７０には、第一コンパレータ３２と第二コンパレータ６２の出力が入力されている。
【００２０】
次に、本例の人体検知装置１の動作を、図３を用いて説明する。
【００２１】
まず、２つの発振器２０、５０は、一方の電極１０と他方の電極４０に互いに逆位相の電圧波形（矩形波）を印加する。人体が２つの電極に近接していない通常状態における電圧波形は、図３（ａ）、図３（ｂ）のようになる。図３（ａ）は図１の測定点Ｃの波形であり、図３（ｂ）は図１の測定点Ｄの波形である。
この場合、第一整流回路３１は、測定点Ｃの電圧波形を整形して第一最大電圧値を出力し（本例では５Ｖ）、第一コンパレータ３２は、ローレベルを出力する。
また、第二整流回路３２は、測定点Ｄの電圧波形を整形して第二最大電圧値を出力し（本例では５Ｖ）、第二コンパレータ６２は、ローレベルを出力する。
そして、マイクロコンピュータ７０は、第一コンパレータ３２と第二コンパレータ６２の出力が共にローレベルであることを検知することにより、人体が２つの電極に近接していない状態であると検出する。
【００２２】
次に、人体が２つの電極に近接した状態を説明する。この近接した状態は、例えば、両手が一方の電極と他方の電極にそれぞれ近接された状態や、一方の手が２つの電極に跨って近接された状態などでもよい。
発振器２０、５０は、一方の電極１０と他方の電極４０に互いに逆位相の電圧波形を印加している。そのため、人体が２つの電極１０、４０に近接すると、人体を媒体としたコンデンサの作用により、いわば閉ループ状態が形成される。そして、一方の電極１０と他方の電極４０に印加される電圧波形は互いに逆位相であるため、２つの電極間にはその電位差に応じて人体を介して信号（電界の変化に伴う信号）が伝達し、一方の電極１０と他方の電極４０に印加される電圧波形が変化する。
人体が２つの電極に近接した状態における電圧波形は、図３（ｃ）、図３（ｄ）のようになる。図３（ｃ）は図１の測定点Ｃの波形であり、図３（ｄ）は測定点Ｄの波形である。
【００２３】
図３のＴ１期間においては、高電位側の電極１０から人体を介して低電位側の電極４０に高周波信号が伝達し、図３（ｃ）に示すように測定点Ｃの電位が低下し（本例では０．０５Ｖとなる）、図３（ｄ）に示すように測定点Ｄの電位はほぼ０Ｖのままである。
また、図３のＴ２期間においては、高電位側の電極４０から人体を介して低電位側の電極１０に高周波信号が伝達し、図３（ｄ）に示すように測定点Ｄの電位が低下し（本例では０．０５Ｖとなる）、図３（ｃ）に示すように測定点Ｃの電位はほぼ０Ｖのままである。
また、図３のＴ３、Ｔ４、Ｔ５・・・の各期間においても、高電位側の電極から人体を介して低電位側の電極に高周波信号が伝達し、測定点Ｃ、Ｄにおける電位が交互に低下する。
このため、人体が２つの電極に近接すると、測定点Ｃ、Ｄの最大電圧値が共に低下する。
【００２４】
そして、第一整流回路３１は、測定点Ｃの電圧波形を整形して第一最大電圧値を出力（本例では０．０５Ｖ）し、第一コンパレータ３２は、ハイレベルを出力する。
また、第二整流回路６１は、測定点Ｄの電圧波形を整形して第二最大電圧値を出力（本例では０．０５Ｖ）し、第二コンパレータ６２は、ハイレベルを出力する。
【００２５】
そして、マイクロコンピュータは、第一コンパレータ３２と第二コンパレータ６２の出力が共にハイレベルであることを検知し、人体が２つの電極に近接した状態であると検出する。
そのため、２つの電極１０、４０に印加される最大電圧値の低下が検知されると、マイクロコンピュータ７０は、人体が２つの電極１０、４０に近接したことを検出できる。
【００２６】
以上のように、本例の人体検知装置１は、離間されている一方の電極１０と他方の電極４０と、一方の電極１０と他方の電極４０に周期的に変動する電圧波形（本例では矩形波）をそれぞれ印加する発振器２０、５０と、この電圧波形の変化に基づいて人体が一方の電極１０と他方の電極４０に近接したことを検出するマイクロコンピュータ７０とを備えている。そして、本例では一方の電極１０と他方の電極４０に印加される電圧波形は、互いに逆位相である。
【００２７】
本例の人体検知装置１によれば、人体が一方の電極と他方の電極の双方に近接すると、人体を媒体としたコンデンサの作用により、いわば閉ループ状態が形成される。そして、一方の電極と他方の電極に印加されている２つの電圧波形は互いに逆位相であるため、２つの電極間にはその電位差に応じて人体を介して信号（電界の変化に伴う信号）が伝達し、一方の電極と他方の電極に印加される最大電圧値が共に低下する。このため、この最大電圧値の変化を検出することで人体が一方の電極と他方の電極の双方に近接したことを検知することができる。
また、人体を介した閉ループ状態で電圧波形の変化を検出することができるため、外部の影響をほとんど受けず、外部ノイズに強い人体検知装置が得られる。
また、本例の人体検知装置は、人体が２つの電極に近接すると、極めて安定した電圧波形が検知されるため、人体が２つの電極に近接した時の検知感度が高まり信頼性が向上できる。
【００２８】
また、一方の電極に印加される電圧波形の変化を他方の電極側で検知するように構成した場合には、人体が２つの電極に近接した時と近接していない時との電圧波形の変化が非常に小さく、高い検知精度が得られない問題がある。
一方、本例の人体検知装置は、一方の発振器２０と一方の電極１０との間には第一抵抗２２が設けられており、他方の発振器５０と他方の電極４０との間には第二抵抗４２が設けられており、マイクロコンピュータ７０は、一方の電極１０と第一抵抗２２の間と、他方の電極４０と第二抵抗４２の間との電圧波形の変化を検知するようになっている。そのため、人体が２つの電極に近接した際、２つの電極に印加される電圧波形の変化をそれぞれ直接検出できるため、人体の近接を精度良く検出できる。
【００２９】
また、本例の人体検知装置１では、一方の電極１０と他方の電極４０に互いに逆位相の矩形波を印加しているため、人体が２つの電極に近接すると、図３（ｃ）及び図３（ｄ）のように大幅に最大電圧値が低下する。このため、この最大電圧値の変化を検出することで人体検知を容易に且つ高精度に行うことができる。
【００３０】
本例の人体検知装置１では、一方の電極１０と他方の電極４０との距離Ｌは、３０ｍｍ以上であることが好ましい。
すなわち、２つの電極が近接すればするほど、低電位側の電位が高電位側の電位によって影響を受け易くなり、検知精度が低下し易くなる。
本例の場合、矩形波の周波数が１ＭＨｚ、距離Ｌ＝０ｍｍのとき、一方の電極から受信する他方の電極の電位は０．１Ｖｐ−ｐであり、矩形波の周波数が４０ＭＨｚ、距離Ｌ＝０ｍｍのとき、一方の電極から受信する他方の電極の電位は０．０６Ｖｐ−ｐであった。
そこで、人体が２つの電極間に近接した際の最大電圧値（本例では０．０５Ｖｐ−ｐ）未満になる最小の距離Ｌminを実測したところ、周波数が１ＭＨｚの場合は距離Ｌminは３０ｍｍであり、周波数が４０ＭＨｚの場合は距離Ｌminは５０ｍｍであった。
したがって、一方の電極１０と他方の電極４０との距離Ｌが、少なくとも３０ｍｍ乃至５０ｍｍ以上離して配されることで、５Ｖｐ−ｐ、１ＭＨｚ以上４０ＭＨｚ以下の場合、人体が２つの電極に近接した場合の信号が、２つの電極間が近接した場合に受信される信号内に含まれず、人体が２つの電極に近接した場合の信号を正確に検知できる。
【００３１】
また、本例の人体検知装置では、一方の電極１０と他方の電極４０との距離は、２ｍ以下であることが好ましい。本例では、一方の電極１０と他方の電極４０には両手がそれぞれ近接されて使用されため、両手を広げた状態の距離までを検知できる、使い勝手の良い人体検知装置が得られる。
【００３２】
以上、本発明の一実施形態例を説明したが、本発明はこの実施形態例に限定されるものではなく、本発明の要旨を逸脱しない範囲で、適宜の変更や部品の追加・削除等ができることは言うまでもない。
【００３３】
上記の実施形態例では、一方の電極１０と他方の電極４０に矩形波を印加しているが、一方の電極と他方の電極に加える電圧波形は、周期的に変動するものであれば良く、正弦波や三角波などでもよい。
また、上記の実施形態例では、一方の電極１０と他方の電極４０に互いに逆位相の電圧波形を印加しているが、互いに異なる位相であれば完全な逆位相でなくても良い。
例えば図４に示すように、他方の電極４０に印加される電圧波形（図４（ｂ）参照）が、一方の電極１０に印加される電圧波形（図４（ａ）参照）よりα°遅れても良い。この場合、人体が２つの電極に近接すると、測定点Ｃ及び測定点Ｄにおいて電圧が５Ｖの期間βが検知され、この期間βが所定の期間より小さいことが検出されることで、人体が２つの電極１０、４０に近接したことが検知できる。
【００３４】
また、例えば図５に示すように、一方の電極１０に印加される電圧波形と他方の電極４０に印加される電圧波形が互いに周期が異なるものであっても良い。図５の例では、一方の電極１０に印加される電圧波形（図５（ａ）参照）が５Ｖｐ−ｐ、２０ＭＨｚであり、他方の電極に印加される電圧波形（図５（ｂ）参照）は５Ｖｐ−ｐ、２１ＭＨｚとしている。この場合、人体が２つの電極に近接すると、測定点Ｃ及び測定点Ｄにおいて電圧が５Ｖの期間γ１、γ２、γ３・・・が検知され、この期間γ１、γ２、γ３・・・の最小値が所定の期間より小さいことが検出されることで（本例ではγ１０が検知されることで）、人体が２つの電極１０、４０に近接したことが検出できる。
【００３５】
また、図３乃至図５の例ではいずれも５Ｖｐ−ｐの電圧波形を一方の電極１０と他方の電極４０に印加しているが、互いに位相もしくは周期が異なっていれば、例えば一方の電極に印加される電圧波形は５Ｖｐ−ｐで、他方の電極に印加される電圧波形は２．５Ｖｐ−ｐとしてもよい。この場合、人体が２つの電極に近接する際、２．５Ｖｐ−ｐ側の振幅変化が小さくなるため、僅かながら検知精度が低下する。したがって、先の実施形態例のようにピークツーピークが同じの電圧波形の場合に、最も精度よく検知ができる。
【００３６】
また、上記の実施形態例では、一方の電極１０と他方の電極４０にそれぞれ別の発振器２０、５０から印加しているが、１つの発振器を用いて一方の電極には正相の電圧波形を印加し、他方の電極には反転した逆相の電圧波形を印加してもよい。
【００３７】
また、上記の実施形態例では、２レベルの一方が０Ｖの矩形波を印加しているが、図６（ａ）、図６（ｂ）に示すように、互いに位相の異なる交流波形（この例では、互いに逆位相の矩形波）でもよい。この交流波形を一方の電極と他方の電極にそれぞれ加える場合、人体が２つの電極に近接すると、図６（ｃ）及び図６（ｄ）のように、測定点Ｃ及び測定点Ｄにおける振幅が共に低下して、上述と同様の効果が得られる。このような波形になるのは、正の高電位（＋５Ｖ）が負の高電位（−５Ｖ）より優勢になるためと考えられる。このような交流波形を一方の電極と他方の電極にそれぞれ加える場合にも、互いに周期が異なるものであってよい。
【００３８】
（第２の実施形態例）
次に、前記人体検知装置１の装着例について説明する。図７は、前記人体検知装置１を備えているキー閉じ込め解除装置８０を示す。このキー閉じ込め解除装置８０は、例えば、車両９０の室内に電波による送受信のできるスマートキーを残してドアロックされた状態からドアロックを解錠させるものである。
【００３９】
図７において、室内には、キー閉じ込め解除装置８０が配されており、室内のダッシュボード付近の透明なフロントガラス９１内側には、一方の電極１０と他方の電極４０が室外から見える位置に貼り付けられている。この２つの電極の貼り付け位置は、フロントガラスに限定されず、ユーザ（車両の所有者）が視認できる位置であればよい（例えばリアガラス）。
【００４０】
このキー閉じ込め解除装置８０は、人体検知装置１と、不図示の判定手段を備えている。
人体検知装置１には、室外からドアロックの解除要求操作の信号が入力される。
判定手段は、人体検知装置１により検知されたドアロックの解除要求操作の信号が入力されると、この解除要求操作の信号と、正規の車両ユーザにより予め設定登録されている正規のキー信号とを比較するものである。
【００４１】
このような構成のキー閉じ込め解除装置８０において、車両内にスマートキーを残してドアロックされた状態からドアロックを解錠させる動作を説明する。
【００４２】
まず、室外から両手がそれぞれ一方の電極１０と他方の電極４０に近接された状態で、一方の手が一方の電極１０に離間と近接を繰り返されることにより、人体検知装置１は、キー閉じ込め状態でのドアロックの解除要求操作の信号を検出する。
この解除要求操作の信号は、例えば、モールス信号のように短点（短押）をトン、長点（長押）をツーとして、ツートントンツートトン等と入力とする。
【００４３】
すると、判定手段が、ドアロックの解除要求操作の信号と、予め設定登録されている正規のキー信号とを比較する。そしてキー閉じ込め解除装置８０は、判定手段の比較結果が同一である場合、解除要求操作の信号は正規のユーザと認識して、ドアロックの解錠を行う。また、キー閉じ込め解除装置８０は、判定手段の比較結果が同一でない場合、解除要求操作の信号は正規のユーザでないと認識して、ドアロックの解錠を行わない。
【００４４】
以上のように構成されているキー閉じ込め解除装置８０によれば、人体検知装置１を用いることにより、両手がそれぞれ一方の電極と他方の電極に近接された状態で、一方の手が一方の電極に離間と近接を繰り返されることにより、人体検知装置にはドアロックの解除要求操作の信号が入力され、信頼性の高いキー閉じ込め解除装置が得られる。
【００４５】
なお、本実施形態例は、車両の室内にキーを残したままドアロックされた状態からドアロックを解除するキー閉じ込め解除装置として説明してきたが、住宅内にキーを残したままドアロックされた状態からドアロックを解除するキー閉じ込め解除装置としても適用できる。この場合、キー閉じ込め解除装置が住宅内に配されており、ユーザが視認できるドア付近の窓ガラスの内側に２つの電極が貼り付けられるものである。
【符号の説明】
【００４６】
１        人体検知装置
１０      一方の電極
１０Ａ    銅線
１０Ｂ    絶縁フィルム
２０      一方の発振器
２１      第一バッファー
２２      第一抵抗
３０      第一波形検出部
３１      第一整流回路
３１Ａ    ダイオード
３１Ｂ    平滑コンデンサ
３２      第一コンパレータ
４０      他方の電極
４０Ａ    銅線
４０Ｂ    絶縁フィルム
４１      第二バッファー
４２      第二抵抗
５０      他方の発振器
６０      第二波形検出部
６１      第二整流回路
６１Ａ    ダイオード
６１Ｂ    平滑コンデンサ
６２      第二コンパレータ
７０      マイクロコンピュータ
８０      キー閉じ込め解除装置
９０      車両
９１      フロントガラス
【図１】
2013174585.tif 000003
【図２】
2013174585.tif 000004
【図３】
2013174585.tif 000005
【図４】
2013174585.tif 000006
【図５】
2013174585.tif 000007
【図６】
2013174585.tif 000008
【図７】
2013174585.tif 000009
【図８】
2013174585.tif 000010